(57)【要約】  【課題】  センタドラム型輪転印刷機において、擬似圧胴を予め本機フレームに設置し、通常の片面印刷および格別の両面印刷の準備作業を簡便にし、専用部品の保管スペースを無くし、しかも専用部品の紛失を防ぐこと。  【解決手段】  第１スライドレール上に滑動自在に支持された所定印刷ユニットと、所定印刷ユニットをセンタドラムから後退した位置に停止させる第１位置決めストッパと、第２スライドレール上でセンタドラムに関して滑動自在に支持されたスライドフレームと、スライドフレームをセンタドラムから離れた後退位置とセンタドラムに隣接した作動位置とにそれぞれ停止させる第２位置決めストッパと、スライドフレームに回転自在に支持された擬似圧胴ユニットと、後退位置と作動位置との間を揺動可能に支持されたアイドルギヤ・ユニットとを備えている。【選択図】  図１
2009233993.tif 000002
【特許請求の範囲】
【請求項１】
本機フレームに回転自在に支持されかつ駆動機構によって所定の回転速度で駆動されるセンタドラムと、前記本機フレームに滑動自在に支持されかつ前記センタドラムの外周の所定の複数箇所にそれぞれ配置された複数の印刷ユニットと、前記本機フレームに回転自在に支持されかつ印刷用材料を所定の走行路に沿って案内する複数のガイドローラとを備えたセンタドラム型輪転印刷機において、
前記センタドラムの回転方向下流側の所定箇所にありかつ前記本体フレームの長手方向（Ｘ方向）に設けた第１スライドレール上で前記センタドラムに関して前記Ｘ方向に滑動自在に支持された所定印刷ユニットと、
前記第１スライドレールに固定されかつ前記所定印刷ユニットを前記センタドラムから前記Ｘ方向に所定距離だけ後退した位置に停止させる第１位置決めストッパと、
前記センタドラムの回転方向下流側の所定箇所にありかつ前記本体フレームの幅方向（Ｙ方向）に設けた第２スライドレール上で前記センタドラムに関して前記Ｙ方向に滑動自在に支持されたスライドフレームと、
前記第２スライドレールに固定されかつ前記スライドフレームを前記センタドラムから前記Ｙ方向に離れた後退位置と前記Ｙ方向に前進して前記センタドラムに隣接した作動位置とにそれぞれ停止させる第２位置決めストッパと、
前記スライドフレームに回転自在に支持された擬似圧胴ユニットと、ならびに
前記スライドフレームに回転自在に支持されかつ後退位置と作動位置との間を揺動可能に支持されたアイドルギヤ・ユニットと、
をさらに備えたセンタドラム型輪転印刷機。
【請求項２】
通常の片面印刷モードにおいては、前記擬似圧胴ユニットが前記Ｙ方向に後退した位置にあり、前記所定印刷ユニットが前記Ｘ方向に前進した位置にある、請求項１に記載のセンタドラム型輪転印刷機。
【請求項３】
格別の両面印刷モードにおいては、前記所定印刷ユニットが前記Ｘ方向に後退した位置にあり、前記擬似圧胴ユニットが前記Ｙ方向に前進しかつ前記所定印刷ユニットが空けた空間に進入した位置にある、請求項１に記載のセンタドラム型輪転印刷機。
【請求項４】
前記アイドルギヤ・ユニットは、通常の片面印刷モードにおいては、擬似圧胴ユニットに連動した後退位置にあり、前記擬似圧胴ユニットの被駆動歯車に係合する第１伝達歯車と、前記センタドラムの被駆動歯車に係合する第２伝達歯車とを含み、前記第１伝達歯車および第２伝達歯車は互いに係合し、前記第１伝達歯車の中心軸を支点として前記本機フレームの高さ方向（Ｚ方向）に所定の角度（θ）だけ第２伝達歯車を揺動可能に前記スライドフレームに支持している、請求項１に記載のセンタドラム型輪転印刷機。
【請求項５】
通常の片面印刷モードにおいては、前記アイドルギヤ・ユニットは前記擬似圧胴ユニットに連動した後退位置にあり、前記第２伝達歯車は上昇位置に移動され、該第２伝達歯車は前記センタドラムの被駆動歯車との係合が外され、前記第１伝達歯車は前記擬似圧胴ユニットの被駆動歯車に係合される、請求項４に記載のセンタドラム型輪転印刷機。
【請求項６】
格別の両面印刷モードにおいては、前記アイドルギヤ・ユニットは前記擬似圧胴ユニットに連動した作動位置にあり、前記第２伝達歯車は下降位置に移動され、該第２伝達歯車は前記センタドラムの被駆動歯車と係合され、前記第１伝達歯車は前記擬似圧胴ユニットの被駆動歯車に係合される、請求項４に記載のセンタドラム型輪転印刷機。
【発明の詳細な説明】
【技術分野】
【０００１】
本発明は、センタドラム型輪転印刷機に関する。
【背景技術】
【０００２】
センタドラム型輪転印刷機は、センタドラムの周囲に帯状の印刷用材料（例えば、印刷用紙等）を巻き付け、センタドラムの外周に設けた複数の印刷ユニットによって通常の片面印刷を行っている。印刷用材料の両面を同時に印刷（以下、格別の両面印刷と言う。）する場合には、特定の印刷ユニットを後退させ、空いた空間に擬似圧胴を取り付け、印刷用材料の走行経路の一部を変更して、既に表面側に印刷された印刷用材料の裏面側を印刷している。
【０００３】
しかしながら、従来のセンタドラム型輪転印刷機においては、このような格別の両面印刷を行う場合には、専用のフレームの取付け、擬似圧胴の取付け、アイドルギヤの取付け等の作業に時間がかかる（熟練者でも半日を要した。）。不要時には、これらの部品は個別に本機フレームから取り外して保管されるので、余分な保管スペースを必要とし、部品が紛失するおそれもあった。
【発明の開示】
【発明が解決しようとする課題】
【０００４】
本発明の課題は、センタドラム型輪転印刷機において、擬似圧胴ユニットを予め本機フレームに設置し、通常の片面印刷および格別の両面印刷の準備作業を簡便にし、専用部品を保管するスペースを無くし、しかも専用部品の紛失を防ぐことにある。
【課題を解決するための手段】
【０００５】
本発明のセンタドラム型輪転印刷機は、本機フレームに回転自在に支持されかつ駆動機構によって所定の回転速度で駆動されるセンタドラムと、本機フレームに滑動自在に支持されかつセンタドラムの外周の所定の複数箇所にそれぞれ配置された複数の印刷ユニットと、本機フレームに回転自在に支持されかつ印刷用材料を所定の走行路に沿って案内する複数のガイドローラとを備えている。
【０００６】
説明の便宜上、本体フレームの長手方向（印刷用材料の出入り方向）をＸ方向と定義し、本体フレームの幅方向（奥行き方向）をＹ方向と定義し、本体フレームの高さ方向（上下方向）をＺ方向と定義する。
【０００７】
本発明のセンタドラム型輪転印刷機は、さらに、センタドラムの回転方向下流側の所定箇所にありかつ本機フレームに設けた第１スライドレール上でセンタドラムに関してＸ方向に滑動自在に支持された所定印刷ユニットと、第１スライドレールに固定されかつ所定印刷ユニットをセンタドラムからＸ方向に所定距離だけ後退した位置に停止させる第１位置決めストッパと、センタドラムの回転方向下流側の所定箇所にありかつ本機フレームにＹ方向に設けた第２スライドレール上でセンタドラムに関してＹ方向に滑動自在に支持されたスライドフレームと、第２スライドレールに固定されかつスライドフレームをセンタドラムからＹ方向に離れた後退位置とＹ方向に前進してセンタドラムに隣接した作動位置とにそれぞれ停止させる第２位置決めストッパと、スライドフレームに回転自在に支持された擬似圧胴ユニットと、ならびにスライドフレームに回転自在に支持されかつ後退位置と作動位置との間を揺動可能に支持されたアイドルギヤ・ユニットとを備えている。
【０００８】
通常の片面印刷モードにおいては、擬似圧胴ユニットがＹ方向に後退した位置にあり、所定印刷ユニットがＸ方向に前進した位置にある。格別の両面印刷モードにおいては、所定印刷ユニットがＸ方向に後退した位置にあり、擬似圧胴ユニットがＹ方向に前進しかつ所定印刷ユニットが空けた空間に進入した位置にある。
【０００９】
アイドルギヤ・ユニットは、通常の片面印刷モードにおいては、擬似圧胴ユニットに連動した後退位置にあり、擬似圧胴ユニットの被駆動歯車に係合する第１伝達歯車と、センタドラムの被駆動歯車に係合する第２伝達歯車とを含む。第１伝達歯車および第２伝達歯車は互いに係合している。第１伝達歯車の中心軸を支点として本機フレームのＺ方向に所定の角度θだけ第２伝達歯車を揺動可能にスライドフレームに支持している。
【００１０】
通常の片面印刷モードにおいては、アイドルギヤ・ユニットは擬似圧胴ユニットと連動した後退位置にある。第２伝達歯車は上昇位置に移動され、センタドラムの被駆動歯車との係合が外される。第１伝達歯車は擬似圧胴ユニットの被駆動歯車に係合された状態を維持する。
【００１１】
格別の両面印刷モードにおいては、アイドルギヤ・ユニットは、擬似圧胴ユニットに連動した作動位置にある。第２伝達歯車は下降位置に移動され、センタドラムの被駆動歯車と係合される。第１伝達歯車は、擬似圧胴ユニットの被駆動歯車に係合された状態を維持する。
【発明の効果】
【００１２】
本発明のセンタドラム型輪転印刷機においては、擬似圧胴ユニットが本機フレームに一体に組み込まれているので、通常の片面印刷モードから格別の両面印刷モードに切り替えるとき、またはその逆のモードに切り替えるとき、極めて短時間に準備作業が完了できる。例えば、従来、熟練者であっても３−４時間の準備作業を要していたが、未熟練者でも約１０分程度で準備作業を完了できる。しかも、専用部品がすべて本機フレームに装着されているので、専用部品の紛失のおそれがない。
【発明を実施するための最良の形態】
【００１３】
図１から図８までを参照して、本発明に基づくセンタドラム型輪転印刷機の実施例について説明する。
【００１４】
まず、図１から図３までは、本発明のセンタドラム型輪転印刷機の基本構成を概略的に示す。本発明のセンタドラム型輪転印刷機１は、本機フレーム２に回転自在に支持されかつ駆動機構（図示せず）によって所定の回転速度で駆動されるセンタドラム３と、本機フレーム２に滑動自在に支持されかつセンタドラム３の外周の所定の複数箇所にそれぞれ配置された複数の印刷ユニット４と、本機フレーム２に回転自在に支持されかつ印刷用材料Ｐを所定の走行路に沿って案内する複数のガイドローラ５とを備えている。
【００１５】
説明の便宜上、図１−８において本体フレーム２の長手方向（印刷用材料５の出入り方向）をＸ方向と定義し、本体フレーム２の幅方向（奥行き方向）をＹ方向と定義し、本体フレーム２の高さ方向（上下方向）をＺ方向と定義する。
【００１６】
本発明のセンタドラム型輪転印刷機１は、さらに、印刷ユニット４から選定された所定印刷ユニット４ａ、第１位置決めストッパ６ａ、第２位置決めストッパ６ｂ、スライドフレーム７、擬似圧胴ユニット８、アイドルギヤ・ユニット９を備えている。
【００１７】
所定印刷ユニット４ａは、図３に示すように、センタドラム３の回転方向上流側の所定箇所にある印刷ユニット４から選定される。図示の実施例では、最上流側箇所であるが、それよりも１基または数基下流側の箇所でもよい。所定印刷ユニット４ａは、図１、６、７、８に示すように、本機フレーム２に設けたＸ方向に延びる第１スライドレール２１上でセンタドラム３に関してＸ方向に滑動自在に支持される。所定印刷ユニット４ａは、図６に示すように、慣用の版胴４１、ブランケット胴４２を備えている。第１位置決めストッパ６ａは、第１スライドレール２１に固定されかつ所定印刷ユニット４ａをセンタドラム３からＸ方向に所定距離だけ後退した位置に停止させる働きをする。所定印刷ユニット４ａが所定の前進位置または後退位置にあるとき、慣用のクランプハンドルによって固定される。
【００１８】
スライドフレーム７は、図１、３、４、５、７、８に示すように、所定印刷ユニット４ａに対応してセンタドラム３の回転方向上流側の所定箇所にある。スライドフレーム７は、本機フレーム２にＹ方向に設けた第２スライドレール２２上でセンタドラム３に関してＹ方向に滑動自在に支持される。第２位置決めストッパ６ｂは、第２スライドレール２２に固定されかつスライドフレーム７をセンタドラム３からＹ方向に離れた後退位置（図４）とＹ方向でセンタドラム３に隣接した作動位置（図５）とにそれぞれ停止させる働きをする。スライドフレーム７が所定の作動位置または後退位置にあるとき、慣用のクランプハンドルによって固定される。
【００１９】
擬似圧胴ユニット８は、図１、３、４、５、７、８に示すように、スライドフレーム７に回転自在に支持される。擬似圧胴ユニット８は、支持シャフト８１、被駆動歯車８２、擬似版胴８３を備えている。
【００２０】
アイドルギヤ・ユニット９は、図１、３、４、５、７、８に示すように、スライドフレーム７に回転自在に支持されかつ後退位置と作動位置との間を揺動可能に支持される。アイドルギヤ・ユニット９は、後述する通常の片面印刷モード（図２）においては、擬似圧胴ユニット８と連動した後退位置（図４）にあり、擬似圧胴ユニット８の被駆動歯車８２に係合する第１伝達歯車９１と、センタドラム３の被駆動歯車（図示せず）に係合する第２伝達歯車９２とを含む。第１伝達歯車９１および第２伝達歯車９２は互いに係合している。図７に示すように、第１伝達歯車９１の中心軸を支点として本機フレーム２のＺ方向に所定の角度θだけ第２伝達歯車９２を揺動可能にスライドフレーム７に支持している。アイドルギヤ・ユニット９が所定の作動位置または後退位置にあるとき、慣用のクランプハンドルによって固定される。
【００２１】
次に、本発明に基づくセンタドラム型輪転印刷機１の動作について説明する。まず、通常の片面印刷モードにおいては、図２、４、６に示すように、擬似圧胴ユニット８がＹ方向に後退した位置（図４）にあり、所定印刷ユニット４ａがＸ方向に前進した位置（図６）にある。アイドルギヤ・ユニット９は、擬似圧胴ユニット８に連動した後退位置（図４）にある。第２伝達歯車９２は上昇位置（図７、８の実線位置）に移動され、センタドラム３の被駆動歯車（図示せず）との係合が外される。第１伝達歯車９１は擬似圧胴ユニット８の被駆動歯車８２（図５）に係合された状態を維持する。この状態において、印刷用材料Ｐは、図２、６に示すように、複数のガイドローラ５に案内されて片面（表面）が印刷される。
【００２２】
格別の両面印刷モードにおいては、図３、５、７、８に示すように、所定印刷ユニット４ａがＸ方向に後退した位置（図７）にあり、擬似圧胴ユニット８がＹ方向に前進しかつ所定印刷ユニット４ａが空けた空間に進入した作動位置（図５、７）にある。アイドルギヤ・ユニット９は擬似圧胴ユニット８（図５）に連動した作動位置にある。第２伝達歯車９２は下降位置（図７、８の二点鎖線位置）に移動され、センタドラム３の被駆動歯車（図示せず）と係合される。第１伝達歯車９１は擬似圧胴ユニット８の被駆動歯車８２（図５）に係合された状態を維持する。この状態において、印刷用材料Ｐは、図２、６に示すように、複数のガイドローラ５によって擬似圧胴ユニット８と所定印刷ユニット４ａとの間に案内されて裏面が印刷された後に、別途設けた反転案内ローラ５ａ（図７）によって案内されて表面が印刷される。
【産業上の利用可能性】
【００２３】
本発明は、センタドラム型輪転印刷機の規模の大小に拘わらず適用できる。格別の両面印刷モードにおいては、裏面印刷ばかりではなく、糊面印刷、裏面単色印刷、裏面多色印刷等にも利用できる。
【図面の簡単な説明】
【００２４】
【図１】本発明に基づくセンタドラム型輪転印刷機の一部の概略平面図である。
【図２】本発明に基づくセンタドラム型輪転印刷機の一部の概略側面図であって、通常の片面印刷モードの状態を示す。
【図３】本発明に基づくセンタドラム型輪転印刷機の一部の概略側面図であって、格別の両面印刷モードの状態を示す。
【図４】本発明に基づくセンタドラム型輪転印刷機の一部を構成する擬似圧胴ユニットの正面図であって、擬似圧胴ユニットが不使用時の後退位置にある状態を示す。
【図５】図４と同様の図面であって、擬似圧胴ユニットが使用時（格別の両面印刷モード）作動位置にある状態を示す。
【図６】本発明に基づくセンタドラム型輪転印刷機の一部を構成する印刷ユニットの側面図であって、印刷ユニットが前進位置にあって通常の片面印刷モードの状態を示す。
【図７】本発明に基づくセンタドラム型輪転印刷機の一部を構成する印刷ユニットおよび擬似圧胴ユニットの側面図であって、印刷ユニットが後退位置にありかつ擬似圧胴ユニットが前進位置にあって、両者の格別の両面印刷モードの状態を示す。
【図８】図７の背面図である。
【符号の説明】
【００２５】
１      センタドラム型輪転印刷機        ２      本機フレーム
３      センタドラム                    ４      印刷ユニット
４ａ    所定印刷ユニット                ５      ガイドローラ
５ａ    反転ガイドローラ                ６ａ    第１位置決めストッパ
６ｂ    第２位置決めストッパ            ７      スライドフレーム
８      擬似圧胴ユニット                ９      アイドルギヤ・ユニット
２１    第１スライドレール              ２２    第２スライドレール
４１    版胴                            ４２    ブランケット胴
８１    支持シャフト                    ８２    被駆動歯車
８３    擬似版胴                        ９１    第１伝達歯車
９２    第２伝達歯車                    Ｐ      印刷用材料
【図１】
2009233993.tif 000003
【図２】
2009233993.tif 000004
【図３】
2009233993.tif 000005
【図４】
2009233993.tif 000006
【図５】
2009233993.tif 000007
【図６】
2009233993.tif 000008
【図７】
2009233993.tif 000009
【図８】
2009233993.tif 000010